Podtech/llm-jp-corpus-v4-ja_patent huggingface dataset:
(57)【要約】【課題】５本指が個々に入る先端部での締め付け感を緩め、履きやすく、長時間履いていても疲れにくく、洗濯した後でも縮みの少ない５本指靴下を提供する。【解決手段】靴下本体部の先端に５本指が個々に入る先端部を備えた５本指靴下において、全体が横編により編成されており、靴下本体部は表糸４と、この表糸４に挿入され裏糸となる弾性糸５により構成されており、靴下本体部の先端に繋がる前記先端部は表糸４に前記弾性糸５よりも伸びが小さい弾性糸６および前記表糸４と同じかもしくは別の糸７を裏糸として挿入されていて、この先端部では靴下本体部よりも生地を厚くするとともに靴下本体部の編地よりも編目が粗くなるように構成されている。【選択図】図２
0003139087.tif 000002
【実用新案登録請求の範囲】
【請求項１】
靴下本体部の先端に５本指が個々に入る先端部を備えた５本指靴下において、全体が横編により編成されており、靴下本体部は表糸と、この表糸に挿入され裏糸となる弾性糸により構成されており、靴下本体部の先端に繋がる前記先端部は表糸に前記弾性糸よりも伸びが小さい弾性糸および前記表糸と同じ糸か、もしくは別の糸を裏糸として挿入されていて、この先端部では靴下本体部よりも生地を厚くするとともに靴下本体部の編地よりも編目が粗くなるように構成されていることを特徴とする５本指靴下。
【請求項２】
靴下本体部に挿入される弾性糸はポリウレタン糸やゴム糸などの伸縮糸の周りを合成繊維からなるカバー糸で覆われたものであり、先端部に挿入される弾性糸はポリウレタン糸やゴム糸などの伸縮糸の周りを綿からなるカバー糸で覆われたものであることを特徴とする請求項１記載の５本指靴下。
【考案の詳細な説明】
【技術分野】
【０００１】
本考案は、先端に５本指が個々に入るように作られた５本指靴下に関するものである。
【背景技術】
【０００２】
従来のこの種５本指靴下としては、例えば特許文献１に開示されているような靴下が知られている。
この特許文献１に開示されている靴下は、靴下本体部が厚編地からなり、指先周辺部を薄編地にして、指又に履かせやすくしたものである。
【特許文献１】特開２００２−３０２８０３号公報
【考案の開示】
【考案が解決しようとする課題】
【０００３】
上記特許文献１に記載の靴下は靴下本体部の編地が厚く、５本指が個々に入る先端部の編地が薄く作られているものであるが、靴下の場合、足に履いた状態においてフィット感を出すために靴下全体に弾性糸が挿入されているのが通常であり、靴下全体に同じ弾性糸が挿入されていると、５本指が個々に入る先端部での締め付け感が非常に強く、履きにくく、長時間履いていると疲労に伴なう不快感が生じるという問題がある。また、洗濯した後では靴下全体に縮みが生じ、不快感がより大きくなるという問題がある。
【０００４】
本考案の目的は、このような課題を解決するものであり、５本指が個々に入る先端部での締め付け感を緩め、履きやすく、長時間履いていても疲れにくく、洗濯した後でも縮みの少ない５本指靴下を提供することにある。
【課題を解決するための手段】
【０００５】
本考案の請求項１に記載の５本指靴下は、靴下本体部の先端に５本指が個々に入る先端部を備えた５本指靴下において、全体が横編により編成されており、靴下本体部は表糸と、この表糸に挿入され裏糸となる弾性糸により構成されており、靴下本体部の先端に繋がる前記先端部は表糸に前記弾性糸よりも伸びが小さい弾性糸および前記表糸と同じ糸かもしくは別の糸を裏糸として挿入されていて、この先端部では靴下本体部よりも生地を厚くするとともに靴下本体部の編地よりも編目が粗くなるように構成されていることを特徴とする。
【０００６】
請求項２に記載の５本指靴下は、靴下本体部に挿入される弾性糸はポリウレタン糸やゴム糸などの伸縮糸の周りを合成繊維からなるカバー糸で覆われたものであり、先端部に挿入される弾性糸はポリウレタン糸やゴム糸などの伸縮糸の周りを綿からなるカバー糸で覆われたものであることを特徴とする。
【考案の効果】
【０００７】
以上のように、本考案の５本指靴下は、５本指が個々に入る先端部では靴下本体部よりも生地を厚くするとともに靴下本体部の編地よりも編目を粗くしてあり、且つ靴下本体部に挿入されている弾性糸よりも伸びが小さい弾性糸が挿入されているので、個々の指に対する締め付け感が緩く、履きやすく、長時間履いていても疲れにくいものである。また、５本指が個々に入る先端部には靴下本体部に挿入されている弾性糸よりも伸びが小さい弾性糸が挿入されているので、洗濯によっても先端部の縮みは少なくなる。
【考案を実施するための最良の形態】
【０００８】
以下、本考案の一実施の形態を、図１〜図２を用いて具体的に説明する。
図において、１は靴下本体部２の先端に５本指が個々に入る先端部３を備えた５本指靴下で、全体が横編により編成されている。図２（Ａ）および図２（Ｂ）に編地組織を示し、靴下本体部２は図２（Ａ）に示す編地組織からも分かるように表糸４と、この表糸４に挿入され裏糸となる弾性糸５により構成されている。なお、弾性糸５は中心のポリウレタン糸やゴム糸などの伸縮糸の周りを合成繊維からなるカバー糸で覆われたものが使用される。そして、この靴下本体部２の先端に繋がる前記先端部３は図２（Ｂ）に示す編地組織からも分かるように表糸４に前記弾性糸５とは異なる弾性糸６および前記表糸４と同じかもしくは別の糸７を裏糸として挿入されている。この先端部３の裏糸として挿入される弾性糸６は中心のポリウレタン糸やゴム糸などの伸縮糸の周りを綿からなるカバー糸で覆われたものが使用されており、この弾性糸６は前記弾性糸５よりも伸びが小さいものである。また、この先端部３の裏糸として挿入される糸７は表糸４と同じ糸かもしくは別の糸であるので、先端部３の編地は靴下本体部２の編地よりも生地が厚くなっている。さらに、先端部３では靴下本体部２の編地よりも編目を粗くしてある。
【０００９】
本実施の形態の５本指靴下によれば、５本指が個々に入る先端部３では靴下本体部２よりも生地を厚くするとともに靴下本体部２の編地よりも編目を粗くしてあり、且つ靴下本体部２に挿入されている弾性糸５よりも伸びが小さい弾性糸６が挿入されているので、個々の指に対する締め付け感が緩く、履きやすく、長時間履いていても疲れにくいものである。また、５本指が個々に入る先端部３には靴下本体部２に挿入されている弾性糸５よりも伸びが小さい弾性糸６が挿入されているので、洗濯によっても先端部３の縮みは少なくなる。
【図面の簡単な説明】
【００１０】
【図１】本考案の一実施の形態における５本指靴下の斜視図である。
【図２】（Ａ）および（Ｂ）は同靴下本体部および先端部の編地組織図である。
【符号の説明】
【００１１】
１    ５本指靴下
２    靴下本体部
３    先端部
４    表糸
５    弾性糸
６    弾性糸
７    糸
【図１】
0003139087.tif 000003
【図２】
0003139087.tif 000004
(57)【要約】【課題】本考案は、麻紐と紙テープを撚り合わせて、農業用の誘引紐としての使用強度を持たせると共に使い勝手を良くし、誘引紐としての効果をよりよく発揮できるようにしようとするものであり、又収穫後の廃棄処理も簡単にできるようにしようとするものである。【解決手段】  紙テープの中心部に２本以上の麻紐を配置し、該紙テープを麻紐に撚り状に巻きつけてなる農業用誘引紐である。【選択図】  図１
0003139033.tif 000002
【実用新案登録請求の範囲】
【請求項１】
紙テープの中心部に２本以上の麻紐を配置し、該紙テープを麻紐に撚り状に巻きつけてなる農業用誘引紐。
【考案の詳細な説明】
【技術分野】
【０００１】
本考案は、農業用の誘引紐に関する。
【背景技術】
【０００２】
果樹園等では、作物を保護する目的で枝をネット状に張ったバン線に固定する作業を行っており、このような時等に使用される紐を誘引紐と言っているが、この誘引紐の素材としては麻紐やビニール紐等の合成樹脂紐が使われている。
然しながら麻紐の場合強度的(引っ張り)に不安があるため何重にも縛る必要があり、使い勝手が悪く、又ビニール紐の場合は耐久性は十分であるが、誘引紐としての効果を十分に発揮できない恐れがあると共に、収穫後のゴミ処理にあたっては公害発生の問題が発生し余計に手間が掛かる。
【考案の開示】
【考案が解決しようとする課題】
【０００３】
そこで本考案は、麻紐と紙テープを撚り合わせて、農業用の誘引紐としての使用強度を持たせると共に使い勝手を良くし、誘引紐としての効果をよりよく発揮できるようにしようとするものであり、又収穫後の廃棄処理も簡単にできるようにしようとするものである。
【課題を解決するための手段】
【０００４】
紙テープの中心部に２本以上の麻紐を配置し、該紙テープを麻紐に撚り状に巻きつけてなる農業用誘引紐である。
【考案の効果】
【０００５】
本考案の効果として、麻紐と紙テープを撚り合わせ２本以上の麻紐は紙テープに覆われ表面には現れないので、農業用の誘引紐としての使用強度を持たせると共に、紙の柔らかい感触などにより使い勝手が良く、表面の撚りによる不滑状態によって誘引紐としての効果をよりよく発揮でき、又収穫後の廃棄処理も埋設、焼却などの方法で簡単にできる。
【実施例】
【０００６】
本案を図１の実施例により詳記すると、紙テープ１の中心部に２本以上の麻紐２を配置し、該紙テープ１を麻紐２に撚り状に巻きつけてなるものである。
【０００７】
この製造に当たっては、図２に示すように、燈籠といわれる回転筒３の一方の侵入中心孔４に２本以上の麻紐２を挿通し、他方の繰り出し中心孔５には回転筒３内にセットされた紙テープ１と、この繰り出された紙テープ１の中心部に前記麻紐２，２を配置して挿通するようになっており、回転筒３の回転につれて麻紐２，２に紙テープが撚り状に巻きつけられる。図中６は麻紐２，２のガイドリングで、麻紐２，２を紙テープ１の中心部に誘導するものである。
【図面の簡単な説明】
【０００８】
【図１】本考案に係る農業用誘引紐の拡大説明図。
【図２】本考案に係る農業用誘引紐の製造装置の拡大説明図。
【符号の説明】
【０００９】
１：紙テープ
２：麻紐
３：回転筒
４：侵入中心孔
５：繰り出し中心孔
６：ガイドリング
【図１】
0003139033.tif 000003
【図２】
0003139033.tif 000004
(57)【要約】      （修正有）【課題】固定電話、FAX機、携帯電話等のキー入力の不便さの解消。【解決手段】ダイアルキーボタンに刻印、印刷、記入、或いは添付されている「数字」、「かな」、「英字」の文字の大きさの異なる機種を提供することにより、嗜好、使用形態によってそれぞれ機種を選択することが出来る。【選択図】図４
0003139058.tif 000002
【実用新案登録請求の範囲】
【請求項１】
固定電話、FAX機、携帯電話等のダイアルキー上の「数字」、「かな」、「英字」からなる文字のうち「かな」を大きく刻印、印刷、記入、或いは添付したダイアルキーボタン。
【請求項２】
固定電話、FAX機、携帯電話等のダイアルキー上の「数字」、「かな」、「英字」からなる文字のうち「英字」を大きく刻印、印刷、記入、或いは添付したダイアルキーボタン。
【考案の詳細な説明】
【技術分野】
【０００１】
本考案は、固定電話、FAX機、携帯電話等のダイアルキーボタンの表示パターンに関するものである。
【背景技術】
【０００２】
従来の固定電話、FAX機、携帯電話等のダイアルキーは電話番号を押して電話をかけることを目的として「数字」を大きくし、「かな」、「英字」は小さく配置されている。
【考案の開示】
【考案が解決しようとする課題】
【０００３】
しかしながら、現在の固定電話、FAX機、携帯電話等は電話帳機能の装備、Iモード、Lモードの装備等、機能が多様化及び充実し、番号だけを押して使用するのではなく、「かな」、「英字」を使用するケースも多い。
【課題を解決するための手段】
【０００４】
そこで、使用者の嗜好、使用形態によって使用する文字の大きさを選択できる選択肢を考案した(図１、図２、図３)。
【考案の効果】
【０００５】
本考案により固定電話、FAX機、携帯電話等の使用者は、嗜好、使用形態に合った表示方式のダイアルキーボタンを装備した機種を購入することにより、快適、効率よく電話機のダイアルキーボタンを押すことが可能となる。
【考案を実施するための最良の形態】
【０００６】
本考案に係るダイアルキーボタンの使用方法は、固定電話、FAX機、携帯電話等の使用者は、それぞれの機種の中から図１、図２、図３のダイアルキーボタンのうちからそれぞれの嗜好、目的に合ったパターンのダイアルキーボタンを有している機種を選択して使用することによりダイアルキー入力を容易にすることが出来る。
【０００７】
実施方法は、電話機メーカーは「数字」、「かな」、「英字」のいずれかを大きくした固定電話、FAX機、携帯電話を製造、販売し、使用者はその中から嗜好、使用形態に合ったものを選択して購入し、使用する。
【０００８】
尚、最下段左側ダイアルキーボタンと最下段右側ダイアルキーボタンの文字は「＊」、「＃」の文字以外は機種、製造メーカの仕様により異なるため、そのボタンに付加する文字はそれぞれ製造メーカにより決定する。
【実施例１】
【０００９】
図４は「かな」を大きくしたダイアルキーボタンを装備した固定電話イメージ図である。
【図面の簡単な説明】
【００１０】
【図１】本考案を適用する前の通常に市販されている固定電話、FAX機、携帯電話等の「数字」を大きくした場合のダイアルキーボタンの形状である。
【図２】本考案に係るダイアルキーボタンに配置する文字の大きさで「かな」を大きくした場合のダイアルキーボタンの形状である。
【図３】本考案に係るダイアルキーボタンに配置する文字の大きさで「英字」を大きくした場合のダイアルキーボタンの形状である。
【図４】本考案に係るダイアルキーボタンを固定電話に装備したもののイメージ図である。
【図１】
0003139058.tif 000003
【図２】
0003139058.tif 000004
【図３】
0003139058.tif 000005
【図４】
0003139058.tif 000006
(57)【要約】【課題】メタボリック症候群に該当する状態か否かを容易に視認できる健康管理用ベルトの提供。【解決手段】  本考案の健康管理用ベルトは、 自動巻取り機構を内蔵し、自動巻取り機構の操作部を備えた箱状のバックル部と、このバックル部により所定長さで巻出し巻取りと締結が行われるベルト部とよりなり、ベルト部をメジャーとして使用するための目盛り及びメタボリック症候群の状態か否かの確認のための指標が貼付されていることを特徴とする。また、バックル部の適所には、歩数計が取り付けられていることを特徴とする。【選択図】  図１
0003139024.tif 000002
【実用新案登録請求の範囲】
【請求項１】
自動巻取り機構を内蔵し、自動巻取り機構の操作部を備えた箱状のバックル部と、このバックル部により所定長さで巻出し巻取りと締結が行われるベルト部とよりなり、前記ベルト部をメジャーとして使用するための目盛り及びメタボリック症候群に該当する状態か否かの確認のための指標が貼付されていることを特徴とする健康管理用ベルト。
【請求項２】
前記バックル部の適所には、歩数計が取り付けられていることを特徴とする請求項１に記載の健康管理用ベルト。
【考案の詳細な説明】
【技術分野】
【０００１】
本考案は、健康管理用ベルトに関し、特にメタボリック症候群に該当する状態か否か容易に視認できるベルトに関するものである。
【背景技術】
【０００２】
従来、理想的な体型に対応して理想的なウェスト寸法等をメジャーの目盛りと併せて設けたダイエット目標メジャー（文献１）や、バックルの位置留めに記しを設けて胴周り寸法が一瞥できるベルト（文献２）が提案されている。
【特許文献１】登録実用新案第３０４２７８３号公報
【特許文献２】特開２０００−２２６７１１号公報
【考案の開示】
【考案が解決しようとする課題】
【０００３】
しかしながら、近年関心が高いメタポリック症候群と胴周り寸法が一瞥できるベルトはいまだ提案されていない。そこで、本考案は、上述の問題点に鑑みなされたもので、メタボリック症候群であるか否かの１つの指標である胴回り寸法がメタボリック症候群に該当する状態か否かを容易に視認できる健康管理用ベルトを提供することを目的としている。
【課題を解決するための手段】
【０００４】
上記目的を達成するために、本考案の健康管理用ベルトは、 自動巻取り機構を内蔵し、自動巻取り機構の操作部を備えた箱状のバックル部と、このバックル部により所定長さで巻出し巻取りと締結が行われるベルト部とよりなり、ベルト部をメジャーとして使用するための目盛り及びメタボリック症候群の状態か否かの確認のための指標が貼付されていることを特徴とする。また、バックル部の適所には、歩数計が取り付けられていることを特徴とする。また、個々人の理想的な体型の、ヒップ（腰回り）・バスト（胸囲）・ヒップの高さ・ウェスト（胴回り）・太ももの太さ・ふくらはぎの太さ・足首の太さ・バストトップの長さ等をそれぞれ一目で判るようにしたことを特徴とする。
【考案の効果】
【０００５】
上記考案によれば、メタボリック症候群の状態にあるか否かの１つの指標である胴回り寸法がメタボリック症候群の状態に該当するか否かを容易に視認できる。また、歩数計が取り付けられているので、１日あたりの歩数、１週間あたりの歩数を容易に把握できる。
【考案を実施するための最良の形態】
【０００６】
以下、本考案の実施例を説明するが適宜変更可能であり、実施例に限定されるものではない。図１において（ａ）は、本考案の健康管理用ベルトの実施例の斜視外観図である。図１に示す健康管理用ベルト１００は、平たい箱状のバックル部１と、このバックル部１により締結されるベルト部２とより主に構成されている。バックル部１は、まず、従来のベルトにおけるバックルとして機能するものである。即ち、ベルト部２の先端がこのバックル部１に締結される。但し、従来のベルトと異なり、ベルト部２の先端のフック部２１がバックル部１部の右側面と裏面との角部の設けられた係止部１０に係止されるだけである。これは、バックル部１の適所（任意の箇所であるが、裏側に設けることが好ましい）に歩数計の表示部１１が設けられている。
【０００７】
また、バックル部１は、巻き尺等で使用されている自動巻取り機構を内蔵している。この自動巻取り機構についての詳細な図示及び説明は省略するが、ベルト部２が巻かれた心棒と、巻取り時にこの心棒を回転させるスプリングと、スプリングの付勢に逆らってベルト部２を巻出した際にベルト部２を任意の巻出し長さの位置で固定するワンウェイクラッチ機構とから構成されている。そして、ワンウェイクラッチ機構を解除してベルト部２の巻取りを行うための操作部１３が、バックル部１の側面又は前面に設けられている。このような機構を使用をしているため、本実施例の健康管理用ベルト１００はいわばフリーサイズであり、汎用性が高いものとなっている。
【０００８】
ベルト部２は、軟質プラスチックや化学繊維などで形成された帯状のものであり、根元の部分が上記自動巻取り機構の心棒に固定されている。そして、先端には、バックル部１の係止部１０に引っ掛けるためのフック部２１が設けられている。ベルト部２の裏面には、ベルトをメジャーとして使用するための目盛りが１ｍｍ間隔で施されている。また、メタボリック症候群の状態か否かの確認のための指標３が貼付されている。指標３は、男性用には男性のキャラクタ３ａが、女性用には女性用のキャラクタ３ｂが貼付されているが、男女兼用で健康管理用ベルト１００を使用する場合には、両方の指標３ａ，３ａを貼付しておくとよい（図１（ｂ）参照）。また、巻出されるベルト部２の長さは、最長時に例えば１ｍ１０ｃｍ程度であり、最短時即ち、完全に巻取った際にバックル部１から露出している長さが例えば３０ｃｍ程度である。従って、このベルト部２は、１ｍのメジャーとして利用できる。尚、ベルト２の巻き出し長さは、大人用であるか子供用であるか等によって異なってくるのは言うまでもない。
【０００９】
また、健康管理用ベルト１００を一人ひとりが専用で使用する場合、ベルト部２には、使用者自身の身体の、理想的なヒップ（腰回り），バスト（胸囲），ヒップの高さ，太ももの太さ，ふくらはぎの太さ，バストトップの長さ，バストからヒップまでの長さ等の位置が視認できるようにそれぞれの項目に対応する文字，キャラクタ等で指標として貼付けておくと、現状の体形と理想的なそれぞれの長さと容易に比較できる。
【００１０】
この実施例の健康管理用ベルト１００を使用する場合には、ベルト部２を巻き出して先端のフック部をバックル部１の係止部に引っ掛けて装着する。この場合、ベルト部２の先端からちょうどバックル部１の幅の長さを足した位置を零としてベルト部２の目盛りが目盛ってあると、ベルトを装着してベルト部２を裏返して裏面の目盛りを見るだけで、自分のウェストサイズを知ることができる。これは、例えば、洋服店等にズボンを買いに出かけた際に自分のウェストサイズを忘れてしまった場合等に、特に便利である。
【図面の簡単な説明】
【００１１】
【図１】実施例の健康管理用ベルトの概観斜視図（ａ）及びベルト部の目盛り部の詳細図（ｂ）である。
【符号の説明】
【００１２】
１  バックル部、２  ベルト部、３  指標
【図１】
0003139024.tif 000003
(57)【要約】【課題】  本考案は屋内家庭用ワイヤレスチャイムをナイロン袋で覆い発音として、犬の鳴き声（ワンワン）を出すことにより、安価で早く効果的に野獣を撃退する。【解決手段】  本考案はセンサー付送信機９をナイロン袋１１で覆い、受信機２を箱４に入れ、音が外に出るように箱の前部と下面を開け、箱をナイロン袋６で覆い野外で使用可能とし、野獣の撃退に役立つ。【選択図】図１
0003139008.tif 000002
【実用新案登録請求の範囲】
【請求項１】
家庭用ワイヤレスチャイムの送信機を防水用にナイロン袋で覆い、野獣（イノシシ等）の通り道に設置し、受信機は防水用にナイロンシートで覆ったダンボール箱の内部に吊り下げ、送信機が動く物に反応し、受信機より、犬の鳴き声（ワンワン）と音を出すところを特徴とする野獣撃退器具。
【考案の詳細な説明】
【技術分野】
【０００１】  本考案はセンサーによって、動く物を感知し、無線により発音する装置を設けた野獣撃退に関するものである。
【背景技術】
【０００２】  野獣を撃退する方法は柵を設置したり、爆音を出していた。
【考案の開示】
【考案が解決しようとする課題】
【０００３】  柵を設置することは大変な労力と資金を必要とし、又爆音を出すことは近所迷惑なことである。従ってセンサー付無線発音機により、安価で少しの場所で設置可能となり、前述の欠点を解決しょうとするものである。
【課題を解決するための手段】
【０００４】  本考案は家庭用ワイヤレスチャイムを使用し、無線により送受信を行うことにより、問題点を解決している。
【考案の効果】
【０００５】  上述の様に、本考案のセンサー付無線発音機は容易に設置が可能であり、しかも発音（ワンワンと音を出す。）することで、野獣撃退に役立つ。
【考案を実施するための最良の形態】
【０００６】  センサー付送信機を屋外に設置するため、雨・露に濡れないようナイロン袋で二重に覆い、杭に固定する。受信機を入れた箱の前面と下面を開いてナイロン袋で包むことで長時間使用することが可能となる。さらに受信機の発音を犬の鳴き声（ワンワン）に調整することにより、野獣撃退の効果を上げることが出来る。
【実施例】
【０００７】  以下、添付図面に従って実施例を説明する。
１〜７は受信装置である。次に各番号について説明する。
１は支持杭、２は受信機の本体、３は受信機を支持杭に固定する針金、４は受信機を入れる箱であり、前面と下面は音を外に出すために大きく開けておく。
５は箱が落ちないように固定する針金であり、６は箱を雨・露から護るナイロン袋７はナイロン袋を箱に固定するための針金である。【０００８】  ８〜１２はセンサー付送信装置である。次に各番号について説明する。
８は支持杭、９はセンサー付送信機の本体、１０は本体を支持杭に取り付ける針金であり、１１は本体を雨・露から保護するナイロン袋、１２はナイロン袋を固定する針金である。
【図面の簡単な説明】
【０００９】
【図１】受信装置の実施例を示す正面図である。
【図２】受信装置の断面図である。
【図３】センサー付送信装置の断面図である。
【符号の説明】
【００１０】  １  支持杭
２  受信機（発音機）
３  針金
４  ダンボール箱
５  針金
６  ナイロン袋
７  針金
８  支持杭
９  センサー付送信機
１０  針金
１１  ナイロン袋
１２  針金
【図１】
0003139008.tif 000003
【図２】
0003139008.tif 000004
【図３】
0003139008.tif 000005
(57)【要約】【課題】  履き物、とくにトイレで使用するスリッパやサンダルを、使った後にきれいに脱いで揃えることのできる履き物に改造するための、羽根の形状をもつ板を提供する。【解決手段】  一足の履き物の左右のうち、どちらか片方の履き物の裏の内側縁に羽根の形の板を付け、履き物を脱ぐ時、もう一方の履き物の内側縁で前記羽根を踏み、きれいに揃えて脱げることを特徴とする。【選択図】図１
0003139009.tif 000002
【実用新案登録請求の範囲】
【請求項１】
１足の履き物において、片足分の履き物の裏全体の形と、さらに前記片足分の親指から踵にかけての内側縁の部分を、足裏全体の形と相似の形として拡大し、その巾を適当な長さにした羽根の形を加えた１枚の板を用意し、前記板を型どりした方の履き物の裏に付け、前記履き物を脱ぐ時に前記形状の板が内側縁から外に出ている前記羽根の部分を、前記板を付けていない方の履き物の内側縁で踏むことにより、脱いだ履き物をきれいに揃えることのできる板。
【請求項２】
履き物の裏に付ける板の形状が、片足分の履き物の裏の形において、中指から踵中央を通って踵の端まで直線を結び、親指のある方の半分の部分だけの形状の、請求項１の、脱いだ履き物をきれいに揃えることのできる板。
【請求項３】
履き物の裏に付ける板の形状が、足の親指の第２関節から踵にかけての内側縁の部分において、板を付けて踏まれた時に、脱ぐ履き物をきれいに揃える機能を果たすだけの大きさの羽根を持ち、履き物の裏の形においては前記羽根の耐久性を維持できるだけの大きさや形を持つ、請求項１の、脱いだ履き物をきれいに揃えることのできる板。
【考案の詳細な説明】
【技術分野】
【０００１】  この考案は、履き物、特にトイレなどで使うスリッパやサンダルをきれいに脱ぎ揃えるために、スリッパやサンダルの裏面に付ける板に関するものである。
【背景技術】
【０００２】  従来、学校などのような所にある、たくさんの人が使うトイレで、入り口でスリッパやサンダルを履いて用を足した後、トイレの入り口でスリッパやサンダルを脱ぐとき、きれいに揃えて脱ぐのは難しかった。スリッパやサンダルを脱ぐところに、スリッパやサンダルの形をペンキなどでかたどり、そこに脱ぐように工夫はするが、揃えて脱ぐのは難しいものである。
家庭内においては、マットにスリッパの形をかたどり、そこに脱ぐように工夫されたものがあった。【０００３】
【特許文献１】  登録実用新案第３１２１６１３号
【考案の開示】
【考案が解決しようとする課題】
【０００４】  履き物を揃えて脱ごうとしても、つい乱雑な扱いとなってしまう。履き物を脱ぐべき所を指示されていても同じである。揃えて脱ごうと気持ちを集中した時は、揃えて脱ぐことが可能になるが、いつもそんな集中ができるとは限らない。そこで、少しの注意できれいに揃えて脱げるように、履き物の改造方法を考えた。
【課題を解決するための手段】
【０００５】  一足の履き物において、左右どちらかの履き物の裏の内側縁に羽根の形状をした板を付け、前記履き物を脱ぐ時に前記羽根をもう一方の羽根を付けていない方の履き物の内側縁で踏んで、きれいに揃えて脱げるような履き物に改造する板を作る。
【考案の効果】
【０００６】  学校などたくさんの人が使うトイレで、入り口でスリッパやサンダルを履いて用を足した後、トイレの入り口でスリッパをきれいに揃えて脱ぐことができる。次にこのスリッパやサンダルを使う人が気持ちよく使える。
また、見た目もきれいで、トイレの前を通る人の気分もよい。これらの事で日常生活の中に１つのしまりがつき、他の生活面にもよい影響が現れる。
【考案を実施するための最良の形態】
【０００７】  いろいろな履き物があるが、今、仮にスリッパの場合を考えてみる。スリッパの左右のどちらの裏に板を付けてもよいのだが、左のスリッパの裏に板を付ける場合を考える。板は、プラスチックなどの合成樹脂やゴムなどの樹脂で成形する。
板の形は１足のスリッパに対して、図１の７のように左右のどちらか一方、この場合は左のスリッパの裏をまず型どりし、次に親指から踵にかけた内側縁を足裏の形と相似の形で拡大し、図１の３のようにその巾が２．５ｃｍほどある羽根の形を加えた１枚の板、図１の３＋７、を作る。そして、左のスリッパの裏に前記板を接着剤などで貼り付ける。【０００８】  スリッパの裏の形はスリッパ１足において左右対称なので、使う人がスリッパを買った後、自分の踏みやすい方のスリッパの裏に、そのままの板の面か裏返した面かを接着剤などで貼り付けて使う。今回は、このスリッパを使用する時は、左のスリッパの裏に板を貼ったので、板を貼っていない右のスリッパの内側縁で、左のスリッパの前記板が内側縁から外に出ている羽根３を踏んで、揃えて脱ぐ。【０００９】  元々のスリッパの裏が持つ地面や床への摩擦力を生かすために、板の形は足の中指と踵の中央を通って踵の端まで直線を結んだもののうち、親指のある方の半分の形としてもよい。
さらに、板を貼ってない方の履き物の内側縁で踏んで、履き物をきれいに揃える機能を十分に果たすだけの大きさがあれば、この板の形は、足の親指の第２関節から踵にかけての内側縁の部分で、羽根の形も変化を持たすことができる。
それに対応して、履き物の裏の形も前記羽根の耐久性を維持できれば、その大きさや形を変えることができる。
【図面の簡単な説明】
【００１０】
【図１】  左側のスリッパの裏に本考案の板を貼り付けた場合の斜視図と、本考案の平面図である。
【図２】  左側のスリッパの裏に、羽根を含む足裏の半分の大きさの板を貼り付けた場合の本考案を、裏から見た斜視図である。
【図３】  左側のスリッパの裏に、足裏の親指第２関節から踵にかけての部分の羽根の板を貼り付けた場合の本考案を、裏から見た斜視図である。
【符号の説明】
【００１１】  １  右のスリッパ
２  左のスリッパ
３  板のうちの羽根の部分
４  板のうちの足裏の半分の大きさの部分
５  板のうちの親指第２関節から踵にかけての羽根の部分
６  羽根の耐久性を維持できるだけの大きさの足裏の板の部分
７  板のうち足裏全体の部分
【図１】
0003139009.tif 000003
【図２】
0003139009.tif 000004
【図３】
0003139009.tif 000005
(57)【要約】      （修正有）【課題】鮎の友釣りで釣鉤とハリスを好位置に安定させ、釣果向上と釣鉤でのトラブルも激減がかなう。【解決手段】鮎Ｗ逆さ鉤前後一体糸止め付き１は、真鍮細針金０．４ｍｍ一本で曲加工の道糸止３・ハリス止４を作り、Ｗ逆さ鉤２とハンダ固定して完成する。釣竿から来た道糸８をハナカン経由で道糸止３に止め、鮎掛鉤６がついたハリス５をハリス止４に差し止め、Ｗ逆さ鉤２を尻びれ７に差し込んでセットする。【選択図】図２
0003139013.tif 000002
【実用新案登録請求の範囲】
【請求項１】
鮎の友釣りにはオトリ鮎の尻びれに逆さ鉤を一本刺し鉤をつけたハリスをつなぎ友釣りが一般的で、本品は二本で逆さ鉤をV字型に前後のワンタッチ糸止めと一体故、常に下方に釣鉤は好位置をキープ出来て、左右上下にぶれず野鮎との一瞬の出合を待ち伏せ、この為に鉤があちこちに絡まずトラブルも激減釣果安定の鮎W逆さ鉤前後一体糸止め付き。
【考案の詳細な説明】
【技術分野】
【０００１】
本考案は鮎の友釣りで釣鉤とハリスを好位置に安定させ釣果向上と釣鉤でのトラブルも激減がかなう釣具である。
【０００２】
世界的に例を見ない鮎の友釣りも昔は吹き流しで逆さ鉤など無かった鼻環からハリスが一本たれ流しの先に二本チラシ鉤でも良く釣れた。戦後S２５年頃に初めて逆鉤技術が開発そして半世紀今だに一本逆さ鉤である。一本では不安定な上下左右にぶらぶらと波にゆれオトリが泳げば釣鉤は殆んど水平の尾びれ付くで釣鉤の位置が高すぎる野鮎が縄張侵犯のオトリの下腹めがけて体当たりで追払う時に釣鉤が４〜７ｃｍ下腹の下に有れば必ずヒット野鮎がオトリを追ってる所の光景しばしば見るが釣鉤にヒットしない釣師が悔やむ所である。
【考案の開示】
【考案が解決しようとする課題】
【０００３】
友釣りは縄張り鮎の闘争心を利用した釣りで近年鮎の生態系すら変わりつつある。いろんな要因で団体自衛の小気鮎が増えその上天敵の川鴨大発生冷水病等々安全を求めて鮎も進化しているから、これを打開し釣師の喜ぶ小さな発明で友釣り離れを止めたい。追わない鮎つれなくなった鮎をこの鮎Ｗ逆さ鉤前後一体糸止め付きで少しでも貢献したい。
【課題を解決するための手段】
【０００４】
鮎も気ままな魚で日並み、水温、天候で一筋縄では釣れない。強烈でなくてもぶらぶらと近寄って来た鮎も見逃さずヒットさせるには絶えず釣鉤のある位置が問題でオトリが追われても走っても尻びれの下方の６ｃｍ前後に常時釣鉤があることが絶対条件である。本品はV字型の二本逆さ鉤で前後左右のぶれが少なく尻びれ下方の理想点に釣鉤が適従している。その為道糸やオトリの体には釣鉤が絡むトラブルが少ない。
【考案の効果】
【０００５】
通常は野鮎が釣鉤にヒットの時は一本逆さ鉤はオトリの尻びれが裂けてはずれてしまうがW逆さ鉤は野鮎が釣鉤にヒットしても殆んどW逆さ鉤がはずれないためにオトリの浮きが早く取込み引抜きが容易である。又、釣鉤が一日に起こすトラブル時間が釣果に大きくひびく。
【考案を実施するための最良の形態】
【０００６】
W逆さ鉤の前後に一体となったワンタッチ糸止めが二ヶ所あり前側は道糸からの糸止めで仕掛け始めと仕舞う時に曳くだけで即完了。後側はハリス糸と釣鉤を交換時曳くだけで可。チャラ瀬・トロ場には（M）２ｃｍタイプと早瀬・荒瀬には（Ｌ）２．５ｃｍが最適。
【実施例】
【０００７】
以下添付図に従って実施例を説明する。１の真鍮細針金０．４ｍｍ一本で曲加工の３・４を作り一周で２のW逆さ鉤とハンダ固定して完成。釣竿から来た道糸をハナカン経由で３の道糸止めに止め６がついたら５を４に差し止め２を７に差し込んでセット完了。
【図面の簡単な説明】
【０００８】
【図１】本考案の鮎W逆さ鉤前後一体糸止め付き拡大側面図である。
【図２】W逆さ鉤前後一体糸止め付きの実施例を示す斜視図である。
【符号の説明】
【０００９】
・  鮎W逆さ鉤前後一体糸止め付き
・  W逆さ鉤
・  道糸止
・  ハリス止
・  ハリス
・  鮎掛鉤
・  しりびれ
・  道糸
・  鮎尾びれ
【図１】
0003139013.tif 000003
【図２】
0003139013.tif 000004
(57)【要約】【課題】 夏期など、観賞魚用水槽内の水温が上昇してしまう場合に、水槽内の水を冷却するための鑑賞魚用水槽の冷却箱を提供する。【解決手段】発泡スチロールなどの保冷効果のある入れ物を、本体保冷箱（１）とし、本体保冷箱の蓋（２）に水槽の入る大きさの水槽入口（４）を開け、本体保冷箱（１）の中には、水槽の高さを調節する高さ調節台（３）を設ける。本体保冷箱（１）の中には氷等の冷媒を入れ、本体保冷箱の蓋（２）を閉めて、水槽入口（４）に水槽を入れて、水槽内の水温を徐々に下げることができることを特徴とする。【選択図】図１
0003139015.tif 000002
【実用新案登録請求の範囲】
【請求項１】
発泡スチロールなどの保冷効果のある入れ物を、本体保冷箱（１）とし、本体保冷箱の蓋（２）に水槽の入る大きさの水槽入口（４）を開け、本体保冷箱（１）の中には、水槽の高さを調節する高さ調節台（３）を設ける。本体保冷箱（１）の中には氷等の冷媒を入れ、本体保冷箱の蓋（２）を閉めて、水槽入口（４）に水槽を入れて、水槽内の水温を徐々に下げることができることを特徴とする鑑賞魚用水槽の冷却箱。
【考案の詳細な説明】
【技術分野】
【０００１】
本考案は、鑑賞魚用水槽内の水を冷却するための鑑賞魚用水槽の冷却箱に関するものである。
【背景技術】
【０００２】
夏期など気温の高いときには、水槽内の水温は３０度を超すこともしばしばあるが、水温を下げることは容易でなく、観賞魚を死なせてしまったりすることもあった。
【０００３】
そこで、一般的な冷却対策として、観賞魚用水槽のクーラーや小型の冷却ファンなどが、用いられていた。
【非特許文献１】http://store.yahoo.co.jp/petzone/bfe5b2b9c4.html
【考案の開示】
【考案が解決しようとする課題】
【０００４】
解決しようとする問題点は、観賞魚水槽用クーラーは高額なため一般的には、冷却ファンが使われていますが、音がうるさく高湿度の時は効果が低く、低湿度の時は水槽水の蒸発が激しくて室内の湿度が高くなり、水槽内の嫌な臭いが部屋に漂うなどなどの不満点である。
【課題を解決するための手段】
【０００５】
本考案は、発泡スチロールなどの保冷効果のある入れ物を、本体保冷箱（１）とし、本体保冷箱の蓋（２）に水槽の入る大きさの水槽入口（４）を開け、本体保冷箱（１）の中には、水槽の高さを調節する高さ調節台（３）を設ける。本体保冷箱（１）の中には氷等の冷媒を入れ、本体保冷箱の蓋（２）を閉めて、水槽入口（４）に水槽を入れて、水槽内の水温を徐々に下げることができることを特徴とする。
【考案の効果】
【０００６】
本考案は、高価な電機機械を使用することなく、安価に提供することができ、水槽の蓋も閉めたままで使用できるため、室内の湿度や水槽内の悪臭を気にする心配も無くなる。
【考案を実施するための最良の形態】
【０００７】
以下、本考案を実施するための最良の形態について説明する。
発泡スチロールなどの保冷効果のある入れ物を、本体保冷箱（１）とし、本体保冷箱の蓋（２）の中心に水槽の入る大きさの水槽入口（４）を開け、本体保冷箱（１）内の水槽底部が入る位置には、水槽の高さを調節する高さ調節台（３）を設ける。
本考案は、以上のような構造である。
これを使用するときは、本体保冷箱（１）の中に氷等の冷媒を入れ、本体保冷箱の蓋（２）を閉めて、水槽入口（４）に水槽を入れることにより、水槽内の水温を徐々に下げることができる。
【産業上の利用可能性】
【０００８】
夏期など気温の高いときには、水温も３０度を超すこともしばしばあるため、水温を下げるためには、何らかの冷却方法をとらなければならないため、本考案は、手軽に家の氷などを使い冷却でき、通常一日一回の氷の交換で使用できるので、経済的なため、観賞魚飼育者には喜ばれる。
【図面の簡単な説明】
【０００９】
【図１】本考案の実施の形態に係る中央縦断面図である。
【図２】本考案の実施の形態に係る斜視図である。
【図３】(Ａ）本考案の本体保冷箱の蓋の部分の平面図である。            (Ｂ）本考案の本体保冷箱の部分の平面図である。
【符号の説明】
【００１０】
１    本体保冷箱
２    本体保冷箱の蓋
３    高さ調節台
４    水槽入口
【図１】
0003139015.tif 000003
【図２】
0003139015.tif 000004
【図３】
0003139015.tif 000005
(57)【要約】【課題】  花立て筒内の水温上昇を抑制し得る花立て筒の開発が考案が解決しようとする課題である。【解決手段】  花立て筒の周面及び底面を二重構造として中空部を設け、当該中空部を設けたことによる断熱効果により、花立て筒内の水温上昇を抑制する、これが課題を解決するための手段である。【選択図】図１
0003139648.tif 000002
【実用新案登録請求の範囲】
【請求項１】
周面及び底面に中空部を設けて二重構造としたことを特徴とする二重構造の花立て筒。
【請求項２】
二重構造が、成形時に中空部を設けたことを特徴としてなる請求項１の二重構造の花立て筒。
【請求項３】
二重構造が、外筒と内筒から構成され、当該外筒と内筒の間に中空部を設けてなる二重構造の花立て筒。
【考案の詳細な説明】
【技術分野】
【０００１】  本考案は、墓前に設置する花立て、詳しくは、石柱等からなる花立て本体に嵌装する花立て筒に関するものである。
【背景技術】
【０００２】  従来より墓前に設置する花立ては、墓石の前方左右に配置された石柱の上面中央に穴を穿ち、当該穴にステンレス製とか陶器製の花立て筒を嵌装しているものが周知である。【０００３】  この花立てに仏花を活けるのであるが、夏季には石柱からなる墓前の花立ても太陽熱により熱くなり、その熱が花立て筒内部の水温を上昇させることから活けた仏花がすぐに枯れるという問題があった。
【考案の開示】
【考案が解決しようとする課題】
【０００４】  解決しようとする問題点は、花立て筒内の水温上昇を抑制し得る花立て筒の開発が考案が解決しようとする課題である。
【課題を解決するための手段】
【０００５】  本考案は、花立て筒の周面及び底面を二重構造として中空部を設け、当該中空部を設けたことによる断熱効果により、花立て筒内の水温上昇を抑制する、これが課題を解決するための手段である。
【考案の効果】
【０００６】  周面及び底面に中空部を設けて二重構造としたことを特徴とする二重構造の花立て筒であり、詳しくは、二重構造が、成形時に中空部を設けたものであること、更には、二重構造が、外筒と内筒から構成され、当該外筒と内筒の間に中空部を設けてなる二重構造の花立て筒であるから、従来は太陽光の厳しい夏季においては、花立て筒内の水温上昇が激しく、切花からなる仏花がすぐに枯れていたが、本考案においては花立て筒の周面及び底面に設けられた中空部の断熱効果により花立て筒内の水温上昇は抑制されることから、墓前の仏花がすぐに枯れることも長持ちするものである等、極めて実用的な効果を有するものである。
【考案を実施するための最良の形態】
【０００７】  本考案は、周面及び底面に中空部を設けて二重構造としたことを特徴とする花立て筒であり、詳しくは、二重構造が、成形時に中空部を設けたことを特徴としてなる請求項１の二重構造の花立て筒であり、更には、二重構造が、外筒と内筒から構成され、当該外筒と内筒の間に中空部を設けてなる二重構造の花立て筒を呈せんとするものである。
【実施例１】
【０００８】  陶磁器からなる花立て筒１の周面２及び底面３に中空部４を設けて二重構造としており、当該二重構造は、成形時に中空部４を設けている。尚、花立て筒の形状に限定を受けるものではない。
【実施例２】
【０００９】  陶磁器からなる花立て筒１は、外筒１ａと内筒１ｂにより構成されている。即ち、外筒１ａの内部に内筒１ｂを嵌装し、内筒１ｂに設けた凸部５により、外筒１ａと内筒１ｂの周面２と底面３の中空部４を形成している。
【産業上の利用可能性】
【００１０】  本考案は、周面２及び底面３に中空部４を設けて二重構造としたことを特徴とする花立て筒１であり、詳しくは、二重構造が、成形時に中空部４を設けたことを特徴としてなる請求項１の二重構造の花立て筒１であり、更には、二重構造が、外筒１ａと内筒１ｂから構成され、当該外筒１ａと内筒１ｂ間に中空部４を設けてなる二重構造の花立て筒１であるから、従来は下記においては太陽熱により花立て筒１内の水温が著しく上昇し、そのために花立て筒１に生けている仏花がすぐに枯れるという大きな問題があったが、本考案で中空部４の断熱効果によって花立て筒１内の水温上昇が抑制されるので仏花がすぐに枯れることはない等、産業上での利用可能性は極めて大きいものがある。
【図面の簡単な説明】
【００１１】
【図１】  花立て筒の一部断面した正面図。
【図２】  二の実施例の一部断面した花立て筒の正面図。
【符号の説明】
【００１２】  １  花立て筒
２  周面
３  底面
４  中空部
５  凸部
【図１】
0003139648.tif 000003
【図２】
0003139648.tif 000004
(57)【要約】【課題】本考案は、猪に農作物を荒らされるのを防止する為の、２枚格子Ｘ型猪撃退具である。【解決手段】  本考案の２枚格子Ｘ型猪撃退具の特徴は、格子丸棒の直径２〜６ミリ、格子枡の大きさ８〜１６センチから成る、２枚の鉄製丸棒格子を本体とした２枚格子Ｘ型猪撃退具である。格子上端横棒の２箇所以上を、リング等で組み合わせるが溶接をしないので、Ｘ角の調整が自在になり、立ち上がりを高くすることも、つぶして広く使うことも出来るので、学習能力があると言われている猪の、撃退対策に変化を付けた設置対応ができる。また、折りたたみができ、持ち運びが容易なので、猪に荒らされ易い収穫時期に、２枚格子Ｘ型猪撃退具を簡単に設置することができる。尚、格子棒先端部を鋭くして猪の鼻等を痛め、格子に足を入れば足を捕られた様な怖い思いをさせる撃退効果が有り、鉄製で必要な強度があるので壊されることがない。【選択図】図１
0003139646.tif 000002
【実用新案登録請求の範囲】
【請求項１】
２枚の鉄製丸棒格子、丸棒の直径２〜６ミリ、格子枡の大きさ８〜１６センチから成る２枚の鉄製丸棒格子本体をＸ型に組み合わせて、Ｘ角度が変えられ、折りたたみ出来ることを特徴とした、２枚格子Ｘ型猪撃退具
【考案の詳細な説明】
【技術分野】
【０００１】  本考案は、農作物を猪から守る為の、猪撃退具に関するものである。
【背景技術】
【０００２】  農作物を猪から守る為の有効な手段が無く、農作物が猪に荒らされる被害を防ぐ為に、トタンや防除網等の設置固定型の防御壁等で農作物を囲って、猪の被害を防ごうとしていた。
【考案の開示】
【考案が解決しようとする課題】
【０００３】  設置固定型の防御壁等で農作物を囲う方法は、その手間と費用が計り知れず、又、猪が怖い思いをすることもないので、防御壁等が破られる事もある。本考案はこの様な問題を解決する為に、２枚格子Ｘ型猪撃退具を考案したものである。
【課題を解決する為の手段】
【０００４】  本考案の２枚格子Ｘ型猪撃退具の特徴は、格子丸棒の直径２〜６ミリ、格子枡の大きさ８〜１６センチから成る、２枚の鉄製丸棒格子を本体とした、２枚格子Ｘ型猪撃退具である。格子上端横棒の２箇所以上を、リング等で組合せて、溶接はしない。Ｘ角の調整が自在になり、立ち上がりを高くすることも、つぶして広く使うことも出来る。鉄製丸棒格子を本体としている為、２枚格子Ｘ型猪撃退具に必要な強度と性能がえられ、地面に設置するだけで良く、適当な重さが得られ風で倒れることはない。また、折りたたみができ、持ち運びが容易なので、猪に荒らされ易い、農作物の収穫時期に合わせて、２枚格子Ｘ型猪撃退具を設置する事が簡単にできる。また、格子棒先端部を鋭くして猪の鼻等を痛め、格子に足を入れば足を捕られた様な怖い思いをさせる撃退効果が有る。尚、鉄製丸棒格子本体の下側の格子棒先端部を鋭くして置けば、猪が下から入ることもなく、鉄製の２枚格子Ｘ型猪撃退具は壊されないので問題を解決している。
【考案の効果】
【０００５】  ２枚格子Ｘ型猪撃退具を地面上に設置しておくだけで、その場に来た猪が、格子棒先端部の痛さや、格子に足を捕られる危険を知り、警戒しその場を離れるので、農作物被害を防げる。また、下側の格子棒先端部も鋭くしておくことで、猪が下から入ることも防止できる。尚、従来の設置固定型の防御壁に比べ、取り扱い、及び、別の場所への移設が簡単で割安になる。よって、従来型防御壁の問題を解決している。
【考案を実施する為の最良の形態】
【０００６】  ２枚の鉄製丸棒格子本体をＸ型に組み合わせた、２枚格子Ｘ型猪撃退具は、角度を自在に調整して設置でき、押しつぶした型で広く設置しても良い。２枚格子Ｘ型猪撃退具は、学習能力が有ると言われている猪に対して、猪が、より警戒して近づかなくなる工夫ができる。
【実施例】
【０００７】以下、添付図面に従って、２枚格子Ｘ型猪撃退具の、一実施例を説明する。１は、２枚格子Ｘ型猪撃退具の本体を成す、鉄製丸棒格子本体、２は、突き出し格子の上端横棒、３は、格子棒先端部、４は、２枚の鉄製丸棒格子本体を一体にして２枚格子Ｘ型猪撃退具にする為の、リング、または、リング状にした針金である。尚、２の上端横棒と４のリング、または、リング状にした針金は溶接していない為、Ｘ角が調整自在となり、好みに応じた角度で、５の、地面上に設置できる。
【図面の簡単な説明】
【０００８】
【図１】本考案の、２枚格子Ｘ型猪撃退具の立面図である。
【図２】２枚格子Ｘ型猪撃退具の正面図である。
【図３】２枚格子Ｘ型猪撃退具の立面図である。
【符号の説明】
【０００９】１鉄製丸棒格子本体
２格子上端横棒
３格子棒先端部
４リング、または、リング状にした針金
５地面
【図１】
0003139646.tif 000003
【図２】
0003139646.tif 000004
【図３】
0003139646.tif 000005
(57)【要約】【課題】      温度差等により骨つぼ内に発生する結露を抑制し得る骨つぼの開発が考案が解決しようとする課題である。【解決手段】  骨つぼの本体及び蓋を中空部を有する二重構造とすることにより、結露の発生を抑制しようとすること、これが課題を解決するための手段である。【選択図】図１
0003139649.tif 000002
【実用新案登録請求の範囲】
【請求項１】
周面及び底面、並びに蓋を中空の二重構造としたことを特徴とする周面等に中空部を有する骨つぼ。
【請求項２】
骨つぼの周面及び底面並びに蓋が、成形時に中空部を設けた二重構造としてなる請求項１の周面等に中空部を有する骨つぼ。
【請求項３】
二重構造が、外つぼと内つぼから構成され、当該外つぼと内つぼの間に中空部を設けてなる周面等に中空部を有する骨つぼ。
【考案の詳細な説明】
【技術分野】
【０００１】  本考案は、故人の遺骨を納骨する骨つぼの改良に関するものである。
【背景技術】
【０００２】  従来より骨つぼは陶磁器製の蓋付容器が周知であるが、当該骨つぼは内部に結露による水が溜まることが問題となっていた。【０００３】  このような問題を解決せんとして骨つぼの底に排水を目的とした穴を設けたものもあるが、これは排水という目的には役立っても結露を抑制するという基本的な問題は残されていた。【０００４】  結露とは、水分を含んだ空気が表面温度の低い物体に接触し、その部分で露点温度以下まで冷却され、そこで水分を凝縮、露を結ぶか、ぬれを生ずる現象を言うが、例えば、温度２０℃・湿度５０％の室内における露点温度は、９．６℃であり、壁や窓などの表面が、９．６℃以下の場所で結露が発生する。【０００５】  結露対策の基本は、断熱と換気であり、断熱効果の高い二重サッシや断熱壁の採用で、室内側表面の温度が下がりにくくなり、結露が抑制されるということが分かっている。
【考案の開示】
【考案が解決しようとする課題】
【０００６】  解決しようとする問題点は、温度差等により骨つぼ内に発生する結露を抑制し得る骨つぼの開発が考案が解決しようとする課題である。
【課題を解決するための手段】
【０００７】  本考案は、骨つぼの本体及び蓋を中空部を有する二重構造とすることにより、結露の発生を抑制しようとすること、これが課題を解決するための手段である。
【考案の効果】
【０００８】  本考案は、骨つぼの周面及び底面並びに蓋の二重構造が、成形時に中空部を設けた二重構造としてなるものであり、更には骨つぼ１の周面２の二重構造が、外つぼ１ａと内つぼ１ｂから構成され、当該外つぼ１ａと内つぼ１ｂの間に中空部４を設けてなる周面等に中空部を有する骨つぼであるから、周面２及び底面３並びに蓋５を中空部４を設けた二重構造としているので断熱効果が大であり、従って外気が骨つぼ１の内側に伝わることが抑えられることから、結露の発生も抑制される。また二の実施例の骨つぼ１を外つぼ１ａと内つぼ１ｂから構成したものにあっては、断熱効果により結露の発生が抑制されるばかりでなく、発生した結露も珪藻土からなる内つぼ１ｂにより吸収され納骨されている遺骨に影響を及ぼすことはない等、極めて実用的な効果を有するものである。
【考案を実施するための最良の形態】
【０００９】  本考案は、周面及び底面、並びに蓋を中空の二重構造としたことを特徴とする周面等に中空部を有する骨つぼであり、詳しくは、骨つぼの周面及び蓋の二重構造が、成形時に中空部を設けた二重構造としてなる請求項１の周面等に中空部を有する骨つぼであり、更には骨つぼ周面の二重構造が、外つぼと内つぼから構成され、当該外つぼと内つぼの間に中空部を設けてなる周面等に中空部を有する骨つぼを呈せんとするものである。
【実施例１】
【００１０】  陶磁器からなる骨つぼ１の周面２及び底面３を中空部４を設けた二重構造としている。同じく蓋５も中空部４を設けた二重構造としている。骨つぼ１の形状において限定を受けるものではない。
【実施例２】
【００１１】  骨つぼ１を陶磁器からなる外つぼ１ａと、珪藻土等からなる内つぼ１ｂにより構成し、外つぼ１ａの内部に内つぼ１ｂを嵌装し、当該外つぼ１ａと内つぼ１ｂ間に中空部４が形成されるように構成している。外つぼ１ａの上端内側には周面に凸部６を形成し、内つぼ１ｂの底面中央には下方に向けて突出せしめた突起７を設け、上部の凸部６と下端の突起７にて中空部４を形成するように構成している。尚、本考案実施例においては、凸部６を外つぼ１ａの内方上端に設けているが、当該凸部１ａを、内つぼ１ｂの外方上端部に設けてもよい。蓋５も中空部４を設けた二重構造としている。骨つぼ１の形状においては限定を受けるものではなく、また本実施例において内つぼ１ｂを珪藻土製としているが珪藻土に限定されるものではない。
【産業上の利用可能性】
【００１２】  本考案は、周面２及び底面３、並びに蓋５を中空４の二重構造としたことを特徴とする陶磁器製二重構造骨つぼ１であり、詳しくは、骨つぼ１の周面２及び底面３並びに蓋５の二重構造が、成形時に中空部４を設けた二重構造としてなる請求項１の周面等に中空部を有する骨つぼであり、更には骨つぼ１の周面２の二重構造が、外つぼ１ａと内つぼ１ｂから構成され、当該外つぼ１ａと内つぼ１ｂの間に中空部４を設けてなる周面等に中空部を有する骨つぼであるから、周面２及び底面３並びに蓋５を中空部４を設けた二重構造としているので断熱効果が大であり、従って外気が骨つぼ１の内側に伝わることが抑えられることから、結露の発生も抑制される。また二の実施例の骨つぼ１を外つぼ１ａと内つぼ１ｂから構成したものにあっては、断熱効果により結露の発生が抑制されるばかりでなく、発生した結露も珪藻土からなる内つぼ１ｂにより吸収され納骨されている遺骨に影響を及ぼすことはない等、産業上での利用可能性は極めて大きいものがある。
【図面の簡単な説明】
【００１３】
【図１】  中空部を設けた骨つぼ
【図２】  外つぼと内つぼからなる骨つぼ
【符号の説明】
【００１４】  １  骨つぼ
２  周面
３  底面
４  中空部
５  蓋
６  凸部
７  突起
【図１】
0003139649.tif 000003
【図２】
0003139649.tif 000004